(57)【要約】      （修正有）【課題】  従来のウェルカムボードにあっては、「歓迎のメッセージ」や「結婚する二人の写真」等が、単に、厚紙や板材に表示されていたにすぎないため、目立ちにくく、来客の方々を歓迎するには充分でないという不都合を有した。これらの不都合を解消する。【解決手段】  有底箱体内に光源を設置するとともにその開口部に不透明透光板を張設し、この不透明透光板の表面に歓迎表示用透光性シートを着脱可能に設置した結婚式用ウェルカムボードであって、裏側から光が照射される結果、歓迎表示用透光性シートの内容は浮き上がって見え、目立ちやすい。この結婚式用ウェルカムボードを使用すれば、結婚式に参列する方々に対して結婚する二人の気持ちが、従来よりも、伝わりやすくひいては従来よりも心の籠もった充分な歓迎をすることができる。 【選択図】  図１
0003100962.tif 000002
【実用新案登録請求の範囲】
【請求項１】
有底箱体内に光源を設置するとともにその開口部に不透明透光板を張設し、この不透明透光板の表面に歓迎表示用透光性シートを着脱可能に設置したことを特徴とする結婚式用ウェルカムボード。
【請求項２】
請求項１の結婚式用ウェルカムボードにおいて、前記有底箱体の開口部に着脱可能に枠体を設置するとともにこの枠体の内側に透明板を張設し、この透明板と前記不透明透光板とによって前記歓迎表示用透光性シートを挟持することを特徴とする結婚式用ウェルカムボード。
【請求項３】
請求項１の結婚式用ウェルカムボードにおいて、前記歓迎表示用透光性シートに「歓迎のメッセージ」及び「結婚する二人の写真」を表示したことを特徴とする結婚式用ウェルカムボード。
【請求項４】
請求項１の結婚式用ウェルカムボードにおいて、前記箱体に支持装置が着脱可能に設置されていることを特徴とする結婚式用ウェルカムボード。
【請求項５】
請求項４の結婚式用ウェルカムボードにおいて、前記支持装置にはキャスターが設置されていることを特徴とする結婚式用ウェルカムボード。
【考案の詳細な説明】
【技術分野】
【０００１】
この考案は結婚式用ウェルカムボードに関し、結婚式場の入口に設置され、結婚式に参列する方々を歓迎するために使用される。
【背景技術】
【０００２】
従来におけるこの種のウェルカムボードは、厚紙や板材に「歓迎のメッセージ」や「結婚する二人の写真」を表示したものであり、結婚式場の入口に掲示され、来客を歓迎したり、案内したりしていた。
【０００３】
【特許文献１】特開昭０７−１４０９２１
【考案の開示】
【考案が解決しようとする課題】
【０００４】
しかしながら、かかる従来のウェルカムボードにあっては、「歓迎のメッセージ」や「結婚する二人の写真」等が、単に、厚紙や板材に表示されていたにすぎないため、目立ちにくく、来客の方々を歓迎するには充分でないという不都合を有した。
この考案の課題はかかる不都合を解消することである。
【課題を解決するための手段】
【０００５】
上記課題を解消するために、この考案に係る結婚式用ウェルカムボードにおいては、有底箱体内に光源を設置するとともにその開口部に不透明透光板を張設し、この不透明透光板の表面に歓迎表示用透光性シートを着脱可能に設置したものである。
【０００６】
なお、前記有底箱体の開口部に着脱可能に枠体を設置するとともにこの枠体の内側に透明板を張設し、この透明板と前記不透明透光板とによって前記歓迎表示用透光性シートを挟持することもできる。
【０００７】
なお、前記歓迎表示用透光性シートに「歓迎のメッセージ」及び「結婚する二人の写真」を表示することもできる。
【０００８】
なお、前記箱体に支持装置を着脱可能に設置することもできる。
【０００９】
更に、この支持装置にキャスターを設置することもできる。
【考案の効果】
【００１０】
この考案に係る結婚式用ウェルカムボードは、有底箱体内に光源を設置するとともにその開口部に不透明透光板を張設し、この不透明透光板の表面に歓迎表示用透光性シートを着脱可能に設置したため、
裏側から光が照射される結果、歓迎表示用透光性シートの内容は浮き上がって見え、目立ちやすいものである。
【００１１】
よって、この結婚式用ウェルカムボードを使用すれば、結婚式に参列する方々に対して結婚する二人の気持ちが、従来よりも、伝わりやすくひいては従来よりも心の籠もった充分な歓迎をすることができるものである。
【００１２】
なお、前記有底箱体の開口部に着脱可能に枠体を設置するとともにこの枠体の内側に透明板を張設し、この透明板と前記不透明透光板とによって前記歓迎表示用透光性シートを挟持するようにすれば、歓迎表示用透光性シートの安定した状態で設置することができるものである。
【００１３】
なお、前記歓迎表示用透光性シートに「歓迎のメッセージ」及び「結婚する二人の写真」を表示すれば、これらの内容が、薄暗い室内においても、来客に明確に認識させることができるものである。
【００１４】
なお、前記箱体に支持装置を着脱可能に設置すれば、この結婚式用ウェルカムボードを安定良く設置しやすいものである。
【００１５】
更に、この支持装置にキャスターを設置すれば、この結婚式用ウェルカムボードを適宜場所へ移動しやすいものである。
【考案を実施するための最良の形態】
【００１６】
図１はこの考案に係る結婚式用ウェルカムボードの斜視図、図２は図１におけるII−II線断面図、図３は図１におけるIII-III 線断面図、図４は図１におけるIV矢視図である。
【００１７】
図１において、Ａは結婚式用ウェルカムボード、10はその表示装置である。20は支持装置であり、この表示装置10を支えている。この支持装置20は、前記表示装置10から取り外すことができる。なお、この支持装置20には、ストッパー付きのキャスター21,21,…が設置されている。
【００１８】
次に、図１〜図４において、11は合成樹脂製の有底箱体であり、前記表示装置10の主要部を構成している。12は基板であり、前記有底箱体11の底面に固定されている。また、30,30,…は蛍光灯であり、この基板12に設置されている。この蛍光灯30はこの考案の「光源」に相当する。13は不透明樹脂シート（この考案の「不透明透光板」に相当する）であり、前記有底箱体11の開口部14を覆った状態で固定されている。この不透明樹脂シート13は前記蛍光灯30,30,…が見えない状態で、その光だけを透過させる。
【００１９】
図２および図４において、15はスイッチであり、前記有底箱体11の下方側面の内側に設置されている。このスイッチ15は前記蛍光灯30,30,…をＯＮ，ＯＦＦさせるためのものであり、透孔16から突出したレバー17をスライドさせることによって操作する。
【００２０】
次に、50は合成樹脂製の枠体であり、前記不透明樹脂シート13を覆った状態で前記有底箱体11の開口部14に着脱可能に外嵌めされている。この枠体50は適宜係止手段によって前記有底箱体11に固定することもできる。51は透明樹脂シート（この考案の「透明板」に相当する）であり、前記枠体50の内側に貼着固定されている。
【００２１】
60は歓迎表示用樹脂シート（歓迎表示用透光性シート）であり、前記不透明樹脂シート13と前記透明樹脂シート51との間に挟持されている。この歓迎表示用樹脂シートには、「歓迎のメッセージ（Welcome to our Wedding Reception) 」, 「結婚する二人の氏名（HIROTOMO & TAKAKO 」, 「日付け（2003, 8,  ) SUN.) 」が表示されているとともに「結婚する二人の写真」がデジタル処理で印刷されている。
【産業上の利用可能性】
【００２２】
結婚式のウェルカムボードとして、結婚式に参列する方々に対して結婚する二人の気持ちの籠もった充分な歓迎をするために利用できる。
【図面の簡単な説明】
【００２３】
【図１】この考案に係る結婚式用ウェルカムボードの斜視図である。
【図２】図１におけるII−II線断面図である。
【図３】図１におけるIII-III 線断面図である。
【図４】図１におけるIV矢視図である。
【符号の説明】
【００２４】
Ａ  …  結婚式用ウェルカムボード
11  …  有底箱体
30  …  蛍光灯（光源）
14  …  開口部
13  …  不透明樹脂シート（不透明透光板）
50  …  枠体
51  …  透明樹脂シート（透明板）
60  …  歓迎表示用樹脂シート（歓迎表示用透光性シート）
20  …  支持装置
21  …  キャスター
【図１】
0003100962.tif 000003
【図２】
0003100962.tif 000004
【図３】
0003100962.tif 000005
【図４】
0003100962.tif 000006